(57)【特許請求の範囲】
【請求項１】
エリア放射発光ダイオード（ＬＥＤ）デバイスであって、
ａ）内部基板表面、該内部基板表面の反対側にある外部基板表面、及び基板エッジを有する基板と、
ｂ）前記内部基板表面上に形成されるエリア放射ＬＥＤピクセルのアレイであって、前記基板エッジと、該基板エッジに最も近い前記内部基板表面上のＬＥＤピクセルとの間にエッジギャップがある、エリア放射ＬＥＤピクセルのアレイと、
ｃ）前記エリア放射ＬＥＤピクセルのそれぞれと前記内部基板表面間の層、または、前記内部基板表面の反対側の前記ＬＥＤピクセルのそれぞれの面上の層に形成されたカラーフィルターのアレイと、
ｄ）前記エリア放射ＬＥＤピクセル間の層に形成されたブラックマトリックスと、
ｅ）前記エッジギャップ内に、かつ前記ＬＥＤピクセルの少なくとも部分的に外側に形成される光抽出構造と、
ｆ）エリア放射ＬＥＤピクセルの前記アレイの前記エッジギャップに隣接する他のエッジギャップを有するエリア放射ＬＥＤピクセルの他のアレイと
を備え、
前記エッジギャップは、エリア放射ＬＥＤピクセルの前記アレイの平均エリアルミナンスの５％〜１５０％の間で放射する、エリア放射発光ダイオードデバイス。
【請求項２】
前記光抽出構造と組み合わせて反射面が形成される、請求項１に記載のエリア放射発光ダイオードデバイス。
【請求項３】
前記光抽出構造は前記外部基板表面上若しくは該外部基板表面内に、又は前記内部基板表面上若しくは該内部基板表面内に、又は前記基板エッジ上若しくは該基板エッジ内に配置される、請求項１に記載のエリア放射発光ダイオードデバイス。
【請求項４】
前記ピクセルは前記基板を通して光を放射し、前記外部基板表面に接着される円偏光子をさらに備える、請求項１に記載のエリア放射発光ダイオードデバイス。
【請求項５】
前記光抽出構造は、前記基板エッジに最も近いピクセル間にさらに形成される、請求項１に記載のエリア放射発光ダイオードデバイス。
【請求項６】
前記エッジギャップは隣接するピクセル間の距離よりも大きい、請求項１に記載のエリア放射発光ダイオードデバイス。
【請求項７】
前記アレイ内の他のＬＥＤピクセルに比べて少ない電流で前記基板エッジに最も近い少なくとも１つのＬＥＤピクセルを駆動するためのコントローラーをさらに備える、請求項１に記載のエリア放射発光ダイオードデバイス。
【請求項８】
前記基板エッジの少なくとも一部は、前記内部基板表面又は前記外部基板表面に対して９０度以外の角度で形成される、角度を成す表面である、請求項１に記載のエリア放射発光ダイオードデバイス。
【請求項９】
前記角度を成す表面は、傾斜するか、又は部分的に傾斜し、前記内部基板表面又は前記外部基板表面に対して０度〜９０度の角度を有する平坦な表面を形成する、請求項８に記載のエリア放射発光ダイオードデバイス。
【請求項１０】
前記角度を成す表面は５５度〜６５度の角度を有する、請求項８に記載のエリア放射発光ダイオードデバイス。
【請求項１１】
前記角度を成す表面は光学的表面であり、前記ＬＥＤピクセルのうちの少なくともいくつかが前記エッジギャップのエリア内に結像されるようにされる、請求項８に記載のエリア放射発光ダイオードデバイス。
【請求項１２】
前記角度を成す表面は、曲面を成す、請求項８に記載のエリア放射発光ダイオードデバイス。
【請求項１３】
前記内部基板表面に接着される内部カバー表面、該内部カバー表面の反対側にある外部カバー表面、及びカバーエッジを有するカバーをさらに備え、前記光抽出構造は、前記内部カバー表面、前記外部カバー表面又は前記カバーエッジ上に配置される、請求項１に記載のエリア放射発光ダイオードデバイス。
【請求項１４】
前記カバーは透明であり、前記ピクセルは前記カバーを通して光を放射し、前記外部カバー表面に接着される円偏光子をさらに備える、請求項１３に記載のエリア放射発光ダイオードデバイス。
【請求項１５】
請求項１に記載の複数のエリア放射発光ダイオードデバイスから形成されるタイルを有するエリア放射発光デバイスであって、隣接するタイルの基板エッジは当接する、エリア放射発光デバイス。
【請求項１６】
各タイルの前記基板エッジの少なくとも一部は、前記タイルの前記内部基板表面又は前記外部基板表面に対して９０度以外の角度で形成される、角度を成す表面を有し、前記タイルの当接する基板エッジは平行な表面を有する、請求項１５に記載のエリア放射発光デバイス。
【請求項１７】
前記各タイルの前記基板エッジの少なくとも一部は、前記タイルの前記内部基板表面又は前記外部基板表面に対して９０度以外の角度で形成される、角度を成す表面を有し、前記タイルの当接する基板エッジは、同じ角度で形成される、角度を成す表面を有する、請求項１５に記載のエリア放射発光デバイス。
【請求項１８】
前記光抽出構造は、拡散体、散乱層、１つ又は複数のレンズレット、明度向上フィルター、回折格子、反射若しくは屈折素子、又はフォトニック結晶である、請求項１に記載のエリア放射発光ダイオードデバイス。
【請求項１９】
前記エッジギャップは、エリア放射ＬＥＤピクセルの前記アレイの平均エリアルミナンスの５０％〜１２０％の間で放射する、請求項１に記載のエリア放射発光ダイオードデバイス。
【発明の詳細な説明】
【技術分野】
【０００１】
本発明は有機発光ダイオード（ＯＬＥＤ）デバイスのタイル張りされるアレイに関し、より詳細には、デバイス間のタイル継ぎ目を見えなくするための光抽出構造を有するＯＬＥＤデバイスに関する。
【背景技術】
【０００２】
情報を提示するために、液晶ディスプレイ、プラズマディスプレイ及び発光ダイオードディスプレイのようなフラットパネルディスプレイが一般的に用いられる。しかしながら、液晶ディスプレイ及び発光ダイオードディスプレイのパネルサイズは、用いられる製造工程によって制限される。このサイズの制限を克服するために、実務者は、タイル張り方式を用いて、非常に大型のフラットパネルディスプレイを形成している。そのような非常に大型のフラットパネルディスプレイは、エッジにおいて位置合わせされる複数の別々のディスプレイを用いて、より大きな単一のディスプレイとして見えるようにする。従来技術による図１０〜図１２を参照すると、非常に大型のフラットパネルディスプレイ８が、１つのアレイ内に、エッジにおいて位置合わせされる複数の別個のディスプレイタイルを含む。各ディスプレイタイル１０内には、ディスプレイピクセル素子１４からなるアクティブエリア１２が配置される。ディスプレイピクセル素子１４は、ピクセル間ギャップ２２だけ隔てて、規則的なアレイとしてディスプレイ基板３０にわたって空間的に分散されており、ピクセル間ギャップ２２は、ディスプレイ設計上の制約、及びピクセル１４間の製造工程限界によって決まる。
【０００３】
しかしながら、通常のフラットパネルディスプレイは、外部コントローラー８０（図１０において示される）に接続できるようにするために、又はディスプレイタイル１０を構成する材料を保護するために、各ディスプレイタイル１０の周辺にある電気コネクター及びエッジシールのような周辺構成要素を有する。さらに、別個のタイル１０は完全には接合することができない。これらの周辺構成要素及びタイル間隔がエッジギャップ２０を形成し、通常は、ピクセル間ギャップ２２よりも大きな空間を占める。それゆえ、複数のディスプレイタイルがアレイ内で接合されるとき、エッジ継ぎ目２４が存在し、その継ぎ目は、各ディスプレイタイル１０のエッジにおいて、ピクセル間に目に見える切れ目を形成する。さらに、エッジ継ぎ目２４は通常、異なる色及び間隔を有し、ピクセル１４又はピクセル間ギャップ２２とは異なる光を反射する可能性があるので、エッジ継ぎ目２４が観察者の目に見えるようになり、不快にさせる可能性がある。図１２は、基板３０及びカバー３２を有するＯＬＥＤデバイスの断面を示す。
【０００４】
見た目に不快であるエッジ継ぎ目を克服するために、当該技術分野において種々の方法が提案されている。１つの手法では、ピクセルレイアウト内に途切れがないほど、エッジ継ぎ目２４が十分に小さくされる。しかしながら、これは、成し遂げるのが非常に難しく、費用がかかる。別の手法は、光ファイバーフェースプレートを用いて、ディスプレイタイル１０のサイズに合うように各ディスプレイタイル１０内のアクティブエリア１２を視覚的に延長することに頼る。しかしながら、この手法は、嵩張り、費用がかかる光ファイバーアレイを必要とする。さらに別の手法は、透明なディスプレイタイルを利用し、一方のディスプレイタイルがエッジにおいて第２のディスプレイタイルに重なるようにして、ピクセルを適切な位置に配置する。たとえば、特許文献１は、重なり合うディスプレイ素子を有するタイルディスプレイを記述する。しかしながら、依然として目に見えるアーティファクトがあり、エッジにおいて完全に透明なタイルを達成することは難しい。他の技術、たとえば、Matthies他による「PROVIDINGOPTICAL ELEMENTS OVER EMISSIVE DISPLAYS」と題する特許文献２は、ディスプレイタイル１０のアレイ上に層を形成することを検討しており、その層は、ディスプレイのエッジを通して放射され、ユーザの目に見えるようになる光を遮断するために、当接するディスプレイタイル１０の隣り合うピクセル間の空間を覆う吸収部を含む。この手法は、エッジ継ぎ目２４のエリア内のルミナンスを下げることによって、アクティブエリア１２に対するエッジ継ぎ目２４のコントラストをさらに高めるであろう。
【０００５】
有機発光ダイオード（ＯＬＥＤ）は、フラットパネルディスプレイ及びエリア照明ランプのための有望な技術である。その技術は、基板上にコーティングされる薄膜材料層を利用する。しかしながら、既知のように、これらのデバイス内の拡散放射に起因して、かつディスプレイ内の材料界面、又はディスプレイ前面と周囲環境内の空気との間において生じる内部反射に起因して、ＯＬＥＤ内の発光層からの光出力の多くは閉じ込められる。光は、ＯＬＥＤの内部発光層から全ての方向に放射されるので、光のうちの或る量は、ディスプレイの前面に対して概ね垂直な角度で放射される。この光の一部はディスプレイの前面に向かって進み、ディスプレイの前面を通して放射され、従来のＯＬＥＤディスプレイにおける有用な光を形成する。その光の第２の部分は、デバイスの前面に対して概ね垂直に放射され、ディスプレイデバイスの背面によって反射又は吸収される可能性がある。その際、この反射される光の多くは、通常、ディスプレイの前面を通って進み、有用な光になることができる。しかしながら、ディスプレイの前面に対して十分に垂直ではない方向に放射される光は、材料界面のうちの１つにおいて反射され、デバイスから脱出することはできない。この光はデバイス内で最終的に吸収されるか、又はデバイスの長さに沿って進み、ディスプレイのエッジを通って脱出し、ディスプレイの前面を通して放射されないので、有用な光を与えない。一般的に、発光層によって放射される光の８０％までが、吸収されるか、又はディスプレイの前面以外を通して放射される可能性があり、それゆえ、失われる。
【０００６】
ＯＬＥＤデバイスは一般的に、特許文献３において開示されるような小分子デバイス、及び特許文献４において開示されるようなポリマーＯＬＥＤデバイスとして知られている２つの形態を有することができる。いずれのタイプのＯＬＥＤデバイスとも、順に、アノード、有機ＥＬ素子及びカソードを含むことができる。アノードとカソードとの間に配置される有機エレクトロルミネッセント（ＥＬ）素子は、一般的に、有機正孔輸送層（ＨＴＬ）、発光層（ＥＬ）及び有機電子輸送層（ＥＴＬ）を含む。正孔及び電子がＥＬ層において再結合して光を放射する。Tang他（非特許文献１、非特許文献２、及び特許文献５）は、そのような層構造を用いる高い効率のＯＬＥＤを実証した。それ以来、高分子材料を含む、代替的な層構造を有する数多くのＯＬＥＤが開示されており、デバイス性能が改善されてきた。無機材料及び光エミッター、たとえば、多結晶マトリックス内の量子ドットも知られているが、同じ光学的な難題を抱えている。
【０００７】
カソード及びアノードからそれぞれ注入される電子及び正孔が、電子輸送層及び正孔輸送層を通って流れ、発光層内で再結合するときに、ＯＬＥＤデバイスにおいて光が生成される。数多くの要因が、この光生成過程の効率を決定する。たとえば、アノード及びカソード材料の選択が、電子及び正孔が如何に効率的にデバイス内に注入されるかを決定することができ、ＥＴＬ及びＨＴＬの選択が、電子及び正孔が如何に効率的にデバイス内を輸送されるかを決定することができ、ＥＬの選択が、電子及び正孔が如何に効率的に再結合され、結果として、光を放射するかを決定することができる。しかしながら、ＯＬＥＤデバイスの効率を制限する主な要因の１つが、電子−正孔再結合によって生成される光子をＯＬＥＤデバイスから抽出する際の効率の悪さであることがわかっている。用いられる有機材料の高い光学指数に起因して、再結合過程によって生成される光子の大部分は、内部全反射に起因して実際にはデバイス内に閉じ込められる。これらの閉じ込められた光子は、決してＯＬＥＤデバイスから出ることはなく、これらのデバイスからの光出力に全く寄与しない。
【０００８】
通常のＯＬＥＤデバイスはガラス基板、酸化インジウムスズ（ＩＴＯ）のような透明な導電性アノード、有機物層のスタック、及び反射性カソード層を使用する。デバイスから生成される光は、ガラス基板を通して放射される。これは一般的に、底面発光デバイスと呼ばれる。代替的には、デバイスは、基板、反射性アノード、有機物層のスタック及び上部の透明なカソード層を含むことができる。デバイスから生成される光は、上部の透明なカソードを通して放射される。これは一般的に上面発光デバイスと呼ばれる。これらの通常のデバイスでは、ＩＴＯ層、有機物層及びガラスの屈折率はそれぞれ、約２．０、１．７及び１．５である。生成された光のうちの概ね６０％が内部反射によってＩＴＯ／有機ＥＬ素子内に閉じ込められ、２０％がガラス基板内に閉じ込められ、生成された光のうちのわずかに約２０％が実際にデバイスから放射され、有用な機能を果たすものと推定されている。
【０００９】
図１３を参照すると、従来技術の底面発光ＯＬＥＤが、透明基板３０、透明な第１の電極４２、そのうちの１つが発光する１つ又は複数の有機物材料層４４、及び反射性の第２の電極４６を有する。透明な第１の電極４２、１つ又は複数の有機物材料層４４、及び反射性の第２の電極４６はＯＬＥＤ４０を形成し、それは、アクティブマトリックス素子又はパッシブマトリックス素子及びコントローラー（図示せず）の制御下にあるピクセル１４とすることができる。有機材料層４４のうちの１つから放射される光は、光線５０で示されるように、基板３０を通して、デバイスから直に放射されることができる。光線５２で示されるように、光が放射され、基板３０及びＯＬＥＤ４０の内部で誘導されることもある。代替的には、光線５４で示されるように、光が放射され、ＯＬＥＤ４０の内部で誘導されることもある。反射性の第２の電極４６に向かって放射される光線は、該反射性の第２の電極４６によって基板３０に向かって反射され、その後、光線経路５０、５２又は５４のうちの１つに従う。
【００１０】
薄膜発光デバイスからの光のアウトカップリングを改善するために、種々の技法が提案されている。たとえば、発光層の中を横方向に誘導される光のブラッグ散乱を引き起こすことによって、薄いポリマーフィルムからの光放射の属性を制御するための回折格子が提案されている。非特許文献３及び非特許文献４を参照されたい。回折特性を有する明度向上フィルム並びに表面ディフューザ及びボリュームディフューザが、２００２年５月１０日に公表された、Chou他による「BRIGHTNESS AND CONTRAST ENHANCEMENT OF DIRECT VIEW EMISSIVE DISPLAYS」と題する特許文献６において記述される。マイクロキャビティ技法の使用も知られている。たとえば、非特許文献５を参照されたい。
【００１１】
発光エリア又はピクセルを包囲する反射構造が、Bulovic他に対して１９９８年１１月１０日に発行された特許文献７において参照されており、各ピクセルのエッジにおいて角度を成すか又は傾斜した反射壁を使用することを記述する。同様に、２０００年７月１８日に発行された特許文献８において、Forrest他は、傾斜した壁を有するピクセルを記述する。これらの手法は、発光エリアのエッジに配置される反射体を使用する。
【００１２】
光散乱技法も知られている。Chou（特許文献９）及びLiu他（特許文献１０）は、ボリューム散乱層又は表面散乱層を用いて、光抽出を改善することを教示する。光散乱層は、有機物層に隣接して、又はガラス基板の外側表面上に被着され、これらの層に一致する光学指数を有する。それよりも小さいと閉じ込められることになる臨界角よりも大きな角度でＯＬＥＤデバイスから放射される光が散乱層内に入り込み、デバイスから散乱されることができる。
【００１３】
「ORGANIC ELECTROLUMINESCENT DISPLAY DEVICE AND METHOD OF MANUFACTURING THE SAME」と題する、２００４年９月７日にDo他に対して発行された特許文献１１は、有機エレクトロルミネッセント（ＥＬ）ディスプレイデバイス及びそれを製造する方法を記述する。その有機ＥＬデバイスは、基板層と、基板層上に形成される第１の電極層と、第１の電極層上に形成される有機物層と、有機物層上に形成される第２の電極層とを含み、異なる屈折率のエリアを有する光損失防止層が、個々の層の中でも大きな屈折率差を有する有機ＥＬデバイスの層間に形成される。Garner他による特許文献１２及びCokによる特許文献１３は、同じように、微細構造を使用して、ＯＬＥＤ内の内部導波路モードの伝搬を摂動させる役割を果たす内部屈折率変動又は内部若しくは表面物理変動を与えることを開示している。トップエミッター実施形態において用いられるとき、封入カバーに隣接して屈折率整合ポリマーを使用することが開示される。
【００１４】
「ORGANIC ELECTROLUMINESCENT DEVICE HAVING IMPROVED LIGHT EXTRACTION」と題するShiangによる特許文献１４及び「ELECTROLUMINESCENT ILLUMINATION SYSTEM WITH AN ACTIVE LAYER OF A MEDIUM HAVING LIGHT-SCATTERING PROPERTIES FOR FLAT-PANEL DISPLAY DEVICES」と題するHorikx他による特許文献１５には、ＯＬＥＤデバイスの外部で使用される光散乱層が記述される。これらの開示は、基板上に配置される散乱層の特性を詳細に記述し、規定する。同様に、「ORGANIC ELECTROLUMINESCENT DEVICE WITH ENHANCED LIGHT EXTRACTION」と題するDuggal他による特許文献１６は、特定の屈折率及び散乱特性を有する複合層を含む出力結合器の使用を記述する。
【先行技術文献】
【特許文献】
【００１５】
【特許文献１】米国特許出願公開第２００７／０００１９２７号
【特許文献２】米国特許出願公開第２００３／００１１３０３号
【特許文献３】米国特許第４，７６９，２９２号
【特許文献４】米国特許第５，２４７，１９０号
【特許文献５】米国特許第４，７６９，２９２号
【特許文献６】国際公開第０２／３７５６８号
【特許文献７】米国特許第５，８３４，８９３号
【特許文献８】米国特許第６，０９１，１９５号
【特許文献９】国際公開第０２／３７５８０号
【特許文献１０】米国特許出願公開第２００１／００２６１２４号
【特許文献１１】米国特許第６，７８７，７９６号
【特許文献１２】米国特許出願公開第２００４／０２１７７０２号
【特許文献１３】米国特許第６，８３１，４０７号
【特許文献１４】米国特許出願公開第２００５／００１８４３１号
【特許文献１５】米国特許第５，９５５，８３７号
【特許文献１６】米国特許第６，７７７，８７１号
【非特許文献】
【００１６】
【非特許文献１】Tang他、Appl. Phys. Lett., 51, 913(1987)
【非特許文献２】Tang他、Journal of Applied Physics, 65, 3610(1989)
【非特許文献３】Safonov他「Modification of Polymer Light Emission by Lateral Microstructure」（Synthetic Metals 116, 2001, pp. 145-148）
【非特許文献４】Lupton他「Bragg Scattering From Periodically Microstructure Light Emitting Diodes」（Applied Physics Letters, Vol. 77, No. 21, November 20, 2000, pp. 3340-3342）
【非特許文献５】Tsutsui他「Sharply Directed Emission in Organic Electroluminescent Diodes With an Optical-Microcavity Structure」（Applied Physics Letters, 65, No. 15, October 10, 1994, pp. 1868-1870）
【発明の概要】
【発明が解決しようとする課題】
【００１７】
しかしながら、開示される光抽出技法はいずれも、タイルディスプレイシステム内のエッジ継ぎ目のサイズを小さくするか、又はそれを目立たなくするための役割を果たさない。それゆえ、タイルディスプレイシステムにおける改善された発光デバイス構造が必要とされている。
【課題を解決するための手段】
【００１８】
１つの実施の形態によれば、エリア放射発光ダイオード（ＬＥＤ）デバイスが、
ａ）内部基板表面、該内部基板表面の反対側にある外部基板表面、及び基板エッジを有する基板と、
ｂ）前記内部基板表面上に形成されるエリア放射ＬＥＤピクセルのアレイであって、前記基板エッジと、該基板エッジに最も近い前記内部基板表面上のＬＥＤピクセルとの間にエッジギャップがある、エリア放射ＬＥＤピクセルのアレイと、
ｃ）前記エッジギャップ内に、かつ前記ＬＥＤピクセルの少なくとも部分的に外側に形成される光抽出構造と、
を備える。
【発明の効果】
【００１９】
本発明は、エッジ継ぎ目から光を誘導することによって、タイル張りされる放射ディスプレイシステム内のエッジ継ぎ目を目立たなくするという利点を有する。
【図面の簡単な説明】
【００２０】
【図１】本発明の一実施形態による、エッジギャップ光抽出を有するＬＥＤデバイスの断面図である。
【図２】本発明の代替的な実施形態による、反射性光散乱エッジ表面を有するＬＥＤデバイスの断面図である。
【図３】本発明の別の実施形態による、エッジギャップ内の複数の表面上に形成される光抽出構造を有するＬＥＤデバイスの断面図である。
【図４】本発明のさらに別の実施形態による、エッジピクセル間に光抽出構造を有するＬＥＤデバイスの平面図である。
【図５】本発明の一実施形態による、カラーフィルター及びブラックマトリックスを有するＬＥＤデバイスの断面図である。
【図６】本発明の別の実施形態による、エッジギャップ光抽出を有するＬＥＤデバイスのタイル張りされるアレイの平面図である。
【図７】本発明の一実施形態による、エッジギャップ光抽出フィルムを有するＬＥＤデバイスの断面図である。
【図８】種々の光線の経路を示す、本発明の一実施形態によるボトムエミッターＬＥＤデバイスの断面図である。
【図９】種々の光線の経路を示す、本発明の一実施形態によるトップエミッターＬＥＤデバイスの断面図である。
【図１０】ディスプレイデバイスの従来技術のタイル張りされるアレイの平面図である。
【図１１】ディスプレイデバイスの従来技術のタイル張りされるアレイのさらに詳細な平面図である。
【図１２】従来技術のデバイスの断面図である。
【図１３】放射ＯＬＥＤデバイス内の光の閉じ込めに関する従来技術の図である。
【図１４】本発明の一実施形態による光抽出構造を例示するためのデバイス例の断面図である。
【図１５】本発明の一実施形態による、角度を成す表面を用いる光抽出構造を例示するためのデバイス例の断面図である。
【図１６】本発明の一実施形態による、部分的に角度を成す表面を用いる光抽出構造を例示するためのデバイス例の断面図である。
【図１７】本発明の本発明の一実施形態による、角度を成す表面を用いる光抽出構造を有する２つのディスプレイデバイスを例示するためのデバイス例の断面図である。
【図１８】本発明の代替的な実施形態による、角度を成す表面を用いる光抽出構造を有する２つのディスプレイデバイスを例示するためのデバイス例の断面図である。
【図１９】エッジ光抽出を用いないＯＬＥＤディスプレイデバイスの画像を示す図である。
【図２０】本発明の代替的な実施形態による、エッジ光抽出を用いるＯＬＥＤディスプレイデバイスの画像を示す図である。
【図２１】本発明の代替的な実施形態による、エッジ光抽出を用いるＯＬＥＤディスプレイデバイスの画像を示す図である。
【図２２】本発明の代替的な実施形態による、エッジ光抽出を用いるＯＬＥＤディスプレイデバイスの画像を示す図である。
【図２３】本発明の一実施形態による、エッジギャップ光抽出を有するＬＥＤデバイスの断面図である。
【図２４】本発明の別の実施形態による、エッジギャップ光抽出を有するＬＥＤデバイスの断面図である。
【００２１】
個々の層はあまりにも薄すぎ、かつ種々の層の厚みの差はあまりにも大きすぎて、縮尺通りに図示することはできないので、図面は縮尺通りに描かれていないことは理解されよう。
【発明を実施するための形態】
【００２２】
図１を参照すると、本発明の一実施形態によれば、エリア放射発光ダイオード（ＬＥＤ）デバイス１０が、内部基板表面３４と、内部基板表面３４の反対側にある外部基板表面３５と、基板エッジ３６とを有する基板３０を備える。エリア放射ＬＥＤピクセル１４のアレイが内部基板表面３４上に形成され、基板エッジ３６と、基板エッジ３６に最も近い内部基板表面３４上のＬＥＤピクセル１４Ａとの間にはエッジギャップ２０がある。ピクセル１４、１４Ａはピクセル間ギャップ２２によって分離される。エッジギャップ２０内に、かつＬＥＤピクセル１４、１４Ａの少なくとも部分的に外側に、光抽出構造６０が形成される。オプションのカバー３２が、ピクセル１４、１４Ａを保護し、封入する。ピクセル１４、１４Ａによって放射される光の一部がデバイス１０から放射され、その光の別の部分が内部全反射によってデバイス１０内に閉じ込められる。デバイス１０は、タイル張りされるアレイ内の１つのディスプレイタイルとして利用することができるので、ディスプレイタイルとも呼ばれる。タイル張りされるアレイは、大型ディスプレイ、又は大型照明デバイスを形成する。
【００２３】
エッジギャップ２０内に光抽出構造６０を形成することによって、エリア放射発光ダイオードデバイス１０の層内に閉じ込めされる光を、エリア放射発光ダイオードデバイス１０から抽出し、観察者に送ることができるようになる。エリア放射発光ダイオードデバイス１０がフラットパネルディスプレイ８内のディスプレイタイル１０として利用されるとき、そして特にディスプレイのＬＥＤピクセル１４、１４Ａが高いルミナンスを放射するときに、この抽出される光は、エッジギャップ２０のコントラストを低下させる。理想的な実施形態では、この光抽出構造６０を調整して、基板エッジ３６から非常に離れているピクセル１４によって生成される光の抽出を少なくしながら、基板エッジ３６の非常に近くにあるピクセル１４Ａによって生成される光を抽出する。この条件が満たされるとき、光抽出構造６０によって抽出される光の相対的な輝度及び色は、基板エッジ３６の近くにあるピクセル１４Ａによって生成される光と大きく相関付けられ、抽出された光が、エッジギャップ２０のルミナンスと、ピクセル１４を含むエリア放射発光ダイオードデバイス１０の部分のルミナンスとの間のコントラストを低下させるのを保証する。このコントラストが低下すると、隣接するディスプレイタイル１０間の境界が目立たなくなり、十分に低下するとき、隣接するディスプレイタイル間の境界は区別できなくなる。
【００２４】
エリア放射発光ダイオードピクセル１４、１４Ａは、たとえば、従来技術の図１３において示されるように、基板上の或るエリアにわたってコーティングされる、有機材料層若しくは無機材料層、又は両方から形成される発光ダイオードである。発光ダイオードを通って電流が流れるとき、コーティングされたエリアの範囲にわたって光が放射される。詳細には、エリア放射発光ダイオードは、半導体上又は半導体内に埋め込まれるドープされた無機材料を用いて、固体結晶性半導体基板内にポイント光エミッターとして形成されないので、本発明は、そのような点光源ＬＥＤを含まないか、又はそのようなＬＥＤには当てはまらない。
【００２５】
図１３に示されるように、エリア放射発光ダイオードデバイス１０は基板３０を含むことができ、基板３０上に第１の導電性材料層がコーティングされ、そのコーティングはアノード又はカソードとしての役割を果たす。この層は、一面に堆積することができるか、又はパターニングして、電極のアレイを形成することができる。その後、エレクトロルミネッセント層４４が電極のアレイ上に堆積され、通常、少なくとも１つの発光層、及び少なくとも１つの正孔阻止層又は電子阻止層を含むことになる。エレクトロルミネッセント層は、正孔注入又は電子注入層、及び正孔輸送層、電子輸送層又は他の電荷制御層をさらに含むことができる。最後に、エレクトロルミネッセント層４４上に第２の導電層４６が堆積される。第１の導電層４２の場合と同様に、第２のエレクトロルミネッセント層４４もパターニングすることができるか、又は一面に被着することができる。しかしながら、第１の導電層４２又は第２の導電層４６のうちの少なくとも一方は、通常パターニングされ、ピクセル１４、１４Ａのアレイを形成することになる。底面発光エリア放射発光ダイオードデバイス１０では、第２の導電層４６は反射性とすることができるか、又は透明若しくは半透明とすることができる。第１の導電層４２は透明又は半透明とすることができる。しかしながら、導電性材料層の少なくとも一方が透明又は半透明のいずれかである限り、透明、反射性、又は半透明の導電性材料層からなる他の構成を提案することができる。基板エッジ３６は、ピクセル１４、１４Ａを封入し、保護するために、基板３０に対して固定されるカバー３２のエッジも含むことができる。図１では、底面発光デバイスとして例示されるが、光がカバー３２においても閉じ込められるように、基板３０とカバー３２との間のギャップがカバー３２又は基板３０に類似の光学指数を有する材料（たとえば、ポリマー）で満たされる場合には特に、本発明は上面発光デバイスにも適用することができる。
【００２６】
光抽出構造６０は、図１３に示されるように、内部全反射導波機構を通して基板内若しくはＬＥＤ層４０内、又はその両方に閉じ込められた光を光学的に抽出する任意の構造である。光抽出構造６０は、光拡散（光散乱）表面（図１には光抽出構造６０として示される）を含むことができる。代替的には、光散乱層（たとえば、図３において光抽出構造６０として示されるように、ポリマーバインダ内にある二酸化チタンのような屈折粒子を含む）、１つ又は複数のレンズレット（たとえば、図８において光抽出構造６０として示されるような形状の構造を含む）、明度向上フィルター（たとえば、市販されており、図２４において素子６０として示される）、回折格子若しくは他のフォトニック結晶（たとえば、図２３において素子６０として示されるような規則的な一連の物理的な組織分布的（topographical）要素）、又は角度を成すミラー若しくは屈折素子３９（たとえば、図１５において示されるように基板法線に対して４５度を成す表面）。光抽出構造６０は、基板３０若しくはカバー３２内に構成することができるか、又は付加的な層若しくは素子、たとえば、表面に被着されるフィルム（たとえば、図７において素子６０として示されるような拡散フィルム）として、基板３０又はカバー３２に被着することができる。これらの構造はそれぞれ光学技術分野において既知である。
【００２７】
光抽出構造６０は、エッジギャップ２０内に配置され、エッジギャップ２０内の任意の表面上、たとえば、基板３０上、カバー３２上、又はカバー３２若しくは基板３０いずれかのエッジ３６上に配置することができる。光抽出構造６０は、基板表面３４上に配置することができる。代替的には、光抽出構造６０は反対側の基板表面３５上に配置することができ、それは、基板表面３４に対して基板の反対側の表面上にある。ＬＥＤピクセル１４、１４Ａのアレイは、基板表面３４上に形成することができ、光抽出構造６０は、反対側の基板表面３５上に形成することができる（図１に示される）。詳細には、光抽出構造６０は、図２に示されるように、複数の表面上若しくは表面内に、又は複数の場所上又は場所内に形成することができ、光抽出構造６０は、その構造がエッジギャップ２０内の光を抽出できる限り、反対側の基板表面３５、及び基板３０のエッジ表面３７の両方の上に形成される。図３は、デバイス内、かつエッジを含む外側表面上の両方において、カバー３２及び基板３０の両方に接着される屈折粒子を含む光抽出構造を示す。
【００２８】
本発明のさらなる実施形態では、光抽出構造６０は反射面を含むことができる。再び図２を参照すると、たとえば、エッジ表面３７上に金属（銀又はアルミニウム等）を蒸着することによって、又はエッジ表面３７にフィルムを被着することによって、エッジ表面３７に反射性フィルム３８をコーティングすることができる。エッジギャップ２０の領域内にあるカバー又は基板のいずれかの中に光を閉じ込めるために、基板３０とカバー３２との間に反射面を形成することもできる。図４の平面図において示されるような本発明の代替的な実施形態では、光抽出構造６０は、基板エッジ３６に最も近いピクセル１４間のエリアを含むようにエッジギャップ２０を越えて延在し、エッジギャップ２０に近いエリア内のエリア放射ＬＥＤデバイス１０のルミナンス出力を高めることができる。
【００２９】
図５及び図９に示されるさらに別の代替的な実施形態では、カラーフィルター１６を用いて、各ピクセル１４、１４Ａを形成するＬＥＤによって放射される光をフィルタリングすることができる。この構造は、たとえば、ＯＬＥＤ技術分野において既知であるＲＧＢＷ構成の場合のように、ＬＥＤが白色光を放射する場合に特に有用である。図５に示されるように、カラーフィルター１６は、ボトムエミッター実施形態では、ＬＥＤ１４と基板３０との間に配置することができる。代替的なトップエミッター実施形態では、カラーフィルター１６は、図９に示されるように、カバー３２上に配置することができる。ピクセル１４と、エッジギャップ２０の少なくとも一部の外側との間にブラックマトリックス１８を形成することができる。本発明では、カラーフィルターは、従来技術において教示される利点よりも多くのさらなる利点を有することができ、これらの利点は、ＬＥＤがカラー（たとえば、赤色、緑色又は青色）光を放射するにしても、白色光を放射するにしても同じく当てはまる。具体的には、基板、導電層及びエレクトロルミネッセント層内に閉じ込められる光のかなりの部分がデバイス内の材料面において反射されることになり、基板エッジ３６から離れているピクセル１４によって光が生成されるときに、これらのカラーフィルターを通って何度も進み、カラーフィルターの複数の色を通り抜ける機会を有する。これらのカラーフィルターは、特定の波長の光に対して特に吸収性であるので、基板エッジから十分に離れているピクセルによって生成される光の多くが、カラーフィルターの複数の色を通り抜けることになり、この光の多くがこれらのカラーフィルターによって吸収されることになる。しかしながら、基板エッジ３６に非常に近いピクセル１４Ａによって生成される光は、カラーフィルター１６を必ずしも複数通り抜けないであろう。また、基板エッジ３６に非常に近いピクセル１４Ａによって生成される光は、カラーフィルターの複数の色を通り抜けないであろう。それゆえ、基板エッジ３６から離れているピクセル１４の場合にカラーフィルターによって吸収される光に比べて、基板のエッジ３６に非常に近いピクセル１４Ａによって生成される光は、カラーフィルターによって相対的に少ない割合しか吸収されないであろう。したがって、カラーフィルターを有するデバイス内の光抽出構造６０を調整して、基板エッジ３６から非常に離れているピクセルによって生成される光をほとんど又は全く抽出しないようにしながら、基板エッジ３６に非常に近いピクセルによって生成される光を抽出する。それゆえ、カラーフィルターが利用されるときに、光抽出構造６０によって抽出される光の相対的な輝度及び色は、基板エッジ３６の近くにあるピクセル１４Ａによって生成される光と大きく相関付けられるであろう。
【００３０】
この概念は、図８を参照することによってさらに例示することができ、図８は光抽出構造６０として示されるレンズレットのアレイを含む。図８に示されるように、基板エッジ３６から離れたピクセル１４も、基板３０内に閉じ込められる光を放射する。本発明の一実施形態では、放射された光はカラーフィルター１６を通り抜ける。白色光エミッターを有するディスプレイデバイスでは、異なるカラーフィルターを用いて、異なる色のピクセル（たとえば、赤色、緑色、青色）を与える。それゆえ、たとえば、光線５６によって示されるように、青色フィルターを通してフィルタリングされる放射光は基板３０を通って進むことができ、隣接する緑色フィルターによって吸収されることができる。代替的には、たとえば、光線５８で示されるように、放射光は基板３０を通って進み、ブラックマトリックス１８によって吸収されることができる。このようにして、離れたピクセルによって放射される光は、デバイス内で吸収し、エッジギャップ２０において抽出しないことができ、それにより、ディスプレイの鮮明度を保持する。カラーフィルターは、閉じ込められた光がデバイス内を進むことができる距離を短くするが、デバイス内の他の層も同じような役割を果たすことに留意されたい。たとえば、第１の導電層４２又は第２の導電層４６のうちの一方にとって、９０％未満の反射率を有する、Ａｌのような材料から形成されるのが一般的である。それゆえ、この導電層に突き当たる度に、基板エッジ３６から離れているピクセル内で形成される光子のかなりの部分が吸収され、導電層は、光がデバイス内を進むことができる距離も制限するであろう。エッジギャップ２０に達し、光抽出層６０を通って出る光線５９のみが、エッジギャップの領域内の光出力に寄与することに留意されたい。
【００３１】
図６に示される本発明のさらなる実施形態では、基板３０は複数のエッジ３６を有し、各エッジ３６はピクセル１４のアレイのエッジ３６に対応し、エッジ３６毎に１つのエッジギャップ２０を形成し、光抽出構造６０が、ＬＥＤピクセル１４の外部にある各エッジギャップ２０内に形成される。この構造は、複数のエリア放射ＬＥＤデバイス１０から形成されるタイル張りされたアレイ８を形成する。隣接するタイルの基板エッジ３６は当接する。
【００３２】
動作時に、本発明は、エリア放射発光ダイオードを用いてピクセル１４を形成する、エリア放射ＬＥＤデバイス１０のタイル張りされるアレイ内のエッジ継ぎ目２４を目立たないようにする際に効果的である。図８を参照すると、ボトムエミッター構成では、エリア放射発光ダイオード１４は、ＬＥＤ電極（図８には示されない）を通して供給される電流に応答して、光を放射する。その光は任意の方向に放射されることができる。内部全反射に起因して、放射される光のかなりの部分は高い光学指数の基板３０内に閉じ込められる。詳細には、ピクセル１４Ａから放射される光は、基板３０内に閉じ込められ、エッジギャップ２０の中に進むことができる。一旦、エッジギャップ２０内に入ると、その光は、たとえば、光線５９で示されるように、光抽出構造６０によって抽出され、放射されることができる。エッジ上、及び基板表面上に光抽出構造を配置すると、そうでなければ光抽出構造に達していなかった場合がある大きな角度の光を抽出することによって、光抽出の効率が改善される。その際、放射される光は、ピクセル１４Ａのための拡張された発光エリアを形成するように見えるので、エッジギャップ２０を目立たなくし、エッジが一様に見えるように改善される。
【００３３】
光抽出構造６０は、オプションで、ピクセル１４Ａのエリア内に延在することができるが、そのエリアを完全に覆うべきではなく、すなわち、ピクセル１４Ａの少なくとも一部は光抽出構造６０の外側にある。たとえば、あらゆるピクセルが（従来技術において教示されるように）光抽出を有していたなら、全てのピクセル１４、１４Ａが、より大きなルミナンスを有することができる。しかしながら、デバイスを単に明るくするだけでは、エッジが一様に見えるように効率的には改善されない。代替的には、ピクセル１４Ａが光抽出構造によって完全に覆われるが、他のピクセル１４が覆われていない場合、ピクセル１４Ａは、他のピクセル１４よりも大きなルミナンスを有するように見えることになり、放射エリアにわたるピクセルルミナンスは一様にはならないであろう。代わりに、本発明の一実施形態によれば、エッジギャップ２０の任意の光放射部分を合わせたピクセル１４Ａの全ルミナンスが、他のピクセル１４と同じルミナンスを有するように、光抽出構造６０はエッジギャップ２０の中に延在し、オプションで、ピクセル１４Ａの一部のみにも延在する。実際に、エッジギャップ２０内に閉じ込められる光を用いて、ピクセル１４Ａを見掛け上、エッジギャップ２０の中に拡大する。光抽出構造がピクセル１４Ａ（又は任意のピクセル）による全光出力を増加させる場合には、アレイ内の他のＬＥＤピクセルに比べて少ない電流を用いて基板エッジに最も近い基板表面上の少なくとも１つのピクセルを駆動するために、たとえば、コントローラー８０（図６に示される）を用いることによって、そのピクセルそのもののルミナンスを低減して補償することができる。
【００３４】
観察者は通常、個々のピクセルを区別することはできないので、ピクセルアレイ内の個々のピクセルの見掛け上のサイズを変更しても目には見えない。このようにして、目に見える明度の一様性は保持される。上記で言及されたように、光抽出構造６０は、エッジギャップ２０に最も近いピクセル１４Ａを越えてエリア放射ＬＥＤデバイス１０のエリアの中には延在しないであろう。しかしながら、これは、エリア放射ＬＥＤデバイス１０の残りの部分にわたって異なる光抽出構造を利用するのを除外するものではない。しかしながら、エリア放射ＬＥＤデバイス１０の残りの部分にわたって異なる光抽出構造が利用される場合には、光抽出構造６０よりも低い効率になり、エリア放射ＬＥＤデバイス１０上の点灯されるエリアから、エッジギャップ２０と等しい距離にあるエリアにおいて光が抽出されるとき、その光から抽出される割合は少なくなるであろう。
【００３５】
エッジギャップの目に見える部分に光抽出構造が存在することによって、エッジギャップ２０が目立たなくなる。直接目に見えないエッジギャップ２０の他の部分では、光をエッジギャップの見えている部分に誘導する反射素子を有する光抽出構造が、エッジギャップから放射される光の量を増加させ、エッジ継ぎ目を見えなくするのを助ける。それゆえ、カバーが透明である本発明のトップエミッター実施形態の図９を参照すると、エッジギャップ２０Ａの目に見える部分は、エッジギャップ２０内のカバー上に光抽出構造６０、たとえば、光拡散コーティングを有する。エッジ３６上の光抽出構造６０は反射性であり、たとえば、反射コーティングを施された拡散表面であることが好ましい。これにより、このエッジ背面に突き当たる光がデバイス内に誘導され、光抽出構造６０がエッジギャップ２０内のこの光を抽出するさらなる機会を与える。そのような層は、エリア放射ＬＥＤデバイス１０のエッジからの光を妨げるというさらなる利点を有し、エッジからの光は、ディスプレイが大きな視角から見られるときに目に見える可能性がある。基板３０上の光抽出構造は、基板表面３４、又は基板の反対側３５上に反射体を有することが好ましい。この反射体は、エッジギャップ２０の中に延在し、エッジギャップ２０においてさらに光を抽出するのを容易にすることができる。
【００３６】
エッジギャップ内に光放射を与えることに関する有効性はモデル化されており、ＯＬＥＤデバイス内のピクセルに隣接し、かつ少なくとも部分的に外側にある、エッジギャップ内に形成される光抽出構造が実例で示された。第１の１組の実験では、種々のサイズのエッジギャップ及び種々のエッジギャップルミナンス値を有するディスプレイがシミュレートされた。これらの基礎実験は、エッジギャップのルミナンスが主に、エッジギャップに隣接する少数のピクセルによって影響を及ぼされるものと仮定した。これらの実験を用いて、エリア放射ＬＥＤデバイス１０がタイルディスプレイデバイス内で利用されるときに、エッジギャップ内のルミナンスが増加するのに応じて、エッジギャップ２０の認識される幅、及び通常の画像コンテンツに対するエッジギャップ２０のコントラストが低下することが実証された。さらに、エッジギャップ２０内のエリアのルミナンスが、ピクセル１４、１４Ａを含むエリア放射ＬＥＤデバイス１０の領域内の平均エリアルミナンスに近づくにつれて、エッジギャップ２０を見ることができなくなる。しかしながら、エリア放射ＬＥＤデバイス１０がタイルディスプレイデバイス内のタイルとして利用されるときに、エッジギャップのルミナンスがピクセル１４、１４Ａを含むエリア放射ＬＥＤデバイス１０の領域内の平均ルミナンスよりも高くなるにつれて、エッジギャップ２０は明るい線として目に見えるようになる。４つの正方形のピクセル１４、１４Ａの幅又は高さと同程度のエッジギャップを有するデバイスの場合、ピクセル１４、１４Ａを含むエリア放射ＬＥＤデバイス１０の領域の平均エリアルミナンスの５０％〜１２０％を放射するエッジギャップ２０を有するタイルディスプレイは、目に見えないようにできることが観察されている。それよりも小さなエッジギャップの場合、さらに広い範囲のルミナンス値の場合でも、エッジギャップ２０は見えなくすることができる。しかしながら、エッジギャップ領域のための有用なルミナンス値は、ピクセル１４、１４Ａを含むエリア放射ＬＥＤデバイス１０の領域内の平均エリアルミナンスの５％〜１５０％の値を含むことができる。
【００３７】
エリア放射ＬＥＤデバイス１０のエッジギャップ２０からの光抽出を例示するために、アクティブマトリックス底面発光エリア放射ＬＥＤデバイスを用いて実験が行なわれた。そのうちのいくつかの重要な構成要素が図１４において示される。このデバイスは、ガラス基板１０２上に構成された。この基板１０２上に、層を堆積して、当該技術分野において既知であるような、通常のアモルファスシリコンＴＦＴドライブ層１０４を形成した。透明なＩＴＯアノード１０６のアレイが、ＴＦＴドライブ層１０４内のＴＦＴと電気的に接続されるように形成された。ＩＴＯアノード１０６上に、電気的に刺激されると白色光を放射するいくつかの発光層を含むＥＬ層１０８が形成された。アルミニウムシートカソード１１０を堆積して、反射性背面電極を形成した。最後に、デバイス全体にわたってカバーガラス１１２を取り付けることによって、デバイスが封入された。本発明の光抽出構造６０を形成するために、屈折率整合流体１１４、具体的にはベンジルアルコールがガラス基板１０２の外側の一部に塗布され、拡散フィルム１１６がディスプレイのこの同じエリアにわたって被着された。この拡散フィルムは、市販されているＬＣＤバックライト用拡散フィルムであった。
【００３８】
光抽出を実証するために、領域１１８内のピクセルのみが照明された。光度測定によって、このエリアの１．３ｍｍの円形アパーチャ内で生成されたルミナンスが５００ｃｄ／ｍ2であったことが示された。目視検査によって、領域１１８内のピクセルのみが起動されたときに、本発明のエリア放射ＥＬデバイス内のエッジギャップ２０を表すエリア１２０内で光が放射されることが実証された。また、目視検査によって、領域１１８内のピクセルが起動されたときに、光抽出構造、具体的には拡散フィルム１１６によって抽出されるルミナンスが、領域１１８に最も近いエリア１２０のエッジ付近において最も高いことも示された。さらに、このエッジからの距離が大きくなるのに応じて、ルミナンスが急速に低下するように見えた。このように一様でないにもかかわらず、１．３ｍｍ円形アパーチャを有する光度計を用いてルミナンスが推定され、約５０ｃｄ／ｍ2、すなわち、領域１１８内で生成されるルミナンスの約１０％であることがわかった。その後、領域１１８内のピクセルを停止し、その最も近いエッジが領域１１８とエリア１２０との間のエッジから４．５ｍｍだけ離れている領域１２２内のピクセルが５００ｃｄ／ｍ2のルミナンスに起動された。目視検査は、領域１２２内のピクセルの起動に応答して、エリア１２０内で或る量の光が放射されることを示した。その後、エリア１２０内のルミナンスが、同じ円形アパーチャを用いて測定され、約５ｃｄ／ｍ2、すなわち、領域１２２内のピクセルによって放射されるルミナンスの約０．１％を与えることがわかった。したがって、光抽出層、具体的にはＬＣＤ用拡散フィルムを被着することによって、エッジギャップ領域を表す、光を放射しない領域内に閉じ込められる光が抽出されることが実証された。この光抽出層からのルミナンスは、光がシミュレートされるエッジギャップに近いピクセルによって生成されたときに大きくなり、光がシミュレートされるエッジギャップから遠いピクセルによって生成されるほど小さくなることがわかった。
【００３９】
図１５を参照すると、本発明の一実施形態では、基板エッジ３６は、斜面を用いて角度を付けられ、内部又は外部基板表面３４、３５のいずれかに対して０又は９０度以外の角度の表面を有する、角度を成す表面３９を形成する。角度を成す表面３９は、基板エッジ３６全体を含むことができるか（図１５に示される）、又は図１６に示されるように、部分的な斜面を用いることによってエッジ３６の一部のみを含むことができ、いずれの場合でも、エッジピクセル１４Ａをエッジギャップ２０の中に結像する光学表面を提供することができる。いずれの場合でも、ピクセル１４Ａから（そして、おそらく、放射される光がブラックマトリックス又はカラーフィルターのような他のデバイス構造によって吸収されない場合には、他のピクセル１４から）放射される閉じ込められる光１５は、角度を成す表面３９によって観察者に向かって屈折し、それにより、エッジ３６から光を抽出し、かつピクセル１４Ａのルミナンスを高める。エッジ角度は、基板３０に対して小さな角度にすることができるか、又は大きな角度（たとえば、５５〜６０度）にすることができる。角度が大きいほど、エッジギャップ２０は小さくなり、製造するのが難しくなるが、光学モデルによれば、抽出される光１５によってエッジ継ぎ目２４が目立たなくされるパーセンテージは大きくなり、それゆえ、エッジ継ぎ目２４を、より効果的に見えなくする。代替的には、光抽出構造を形成する基板エッジは曲面を成し、屈折レンズの少なくとも一部を形成する光学面を形成することもできる。角度を成す表面は、粗くして部分的に拡散性の素子を形成することができるか、又はエッジギャップ２０の近くの発光素子１４Ａをエッジギャップ２０の中に結像する光学素子を形成するために滑らかにすることができる。しかしながら、このエッジは滑らかであることが好ましく、研磨すること、及び斜面を形成するために用いられる工程によって引き起こされる場合がある任意の表面秩序を満たすようにポリマー平滑化層を塗布することを含む、いくつかの方法によって得ることができる。この斜面を形成するために、平坦な表面を研削すること、又はキャスティング若しくはスタンピングを通して傾斜したエッジを有する基板を形成することを含む、数多くの工程を考えることができる。
【００４０】
本発明のさらなる実施形態によれば、かつ図１５を参照すると、角度を成す外部基板表面３５の部分の反対側にある内部基板表面３４上に反射面４７を形成することができる。円偏光子（図１７に示される）を外部基板表面３５上に配置して、入射する周囲光を吸収することができる。この反射層４７は、周囲光を反射することによって、外部基板表面３５上で用いられる任意の円偏光子の有効性を高める。図１７を参照すると、エリア放射発光デバイスのタイル張りされるアレイにおいて、各タイルの基板エッジの少なくとも一部が、タイルの内部又は外部基板表面に対して９０度以外の角度で形成される、角度を成す表面を有し、タイルの当接する基板エッジは、同じ角度で形成される、角度を成す表面を有する。図１７に示されるように、角度を成す表面３９は、隣接するエッジ上においても同じである。ディスプレイタイル１０のアレイが円偏光子７０上に積層され、反射層４７（内部基板表面３４上に形成される）及び４８（外部カバー表面上に形成される）が、周囲光を反射し、円偏光子７０の周囲光吸収を高める。明確にするために、タイル基板３０間にギャップが示される。実際には、このギャップはできる限り小さく形成されるか、又は完全に除去される。
【００４１】
図１８を参照すると、本発明のさらなる実施形態では、各タイルの基板エッジ３９Ａ、３９Ｂの少なくとも一部が、タイルの内部又は外部基板表面に対して９０度以外の角度で形成される、角度を成す表面を有し、タイルの当接する基板エッジは平行な表面を有する。それゆえ、タイル１０Ａ、１０Ｂの隣接する基板エッジに角度を付けて、角度を成す表面が平行になるように互いを補完し、それにより、エッジギャップ内の任意の構造を目立たなくすることができる。
【００４２】
タイルのエッジにおいてピクセル間のエッジギャップをさらに目立たなくするために、画像信号が、各デバイス内の各ピクセルの所望のルミナンスを指定することができる。１つのデバイスのエッジの最も近くにあるＬＥＤのルミナンスが、１つのデバイスのエッジの最も近くにあるピクセルの所望のルミナンスと、別の隣接するデバイスのエッジの最も近くにある対応するピクセルの所望のルミナンスとを合成したものになるように制御されるように、画像信号を調整することができる。たとえば、エッジギャップのいずれかの側にあるエッジピクセル１４Ａを平均して、エッジギャップを目立たなくすることができる。
【００４３】
図１５〜図１８において示される角度を成す構造が構成された。図１９を参照すると、白黒ＯＬＥＤデバイスを垂直に眺めた場合に、画像の上半分において広い垂直ギャップ、及び画像の下半分において狭い垂直ギャップが示される。図１９の画像は対照である。それと比べて、図２０は、閉じ込められた光が放射される６０度の角度を成す表面を有する図１９のデバイスを垂直に眺めた画像である。同様に、図２１は、閉じ込められた光が放射される６０度の角度を成す表面を有する図１９のデバイスを４５度の角度で眺めた画像である。図２０及び図２１の両方から明らかであるように、エッジ継ぎ目の見掛け上の幅が小さくなる。図２２を参照すると、垂直の継ぎ目に隣接するピクセルだけがアクティブであるときに、同様に、エッジ継ぎ目が見えなくなる。実際には、図２２の画像の下半分において、狭い方のエッジ継ぎ目は完全に見えなくなる。上半分において、広い方のエッジ継ぎ目は、見掛け上、実際のエッジ継ぎ目幅の約３分の１である。
【００４４】
本発明によるエリア放射発光ダイオード（ＬＥＤ）デバイスは、基板表面及び基板エッジを有する基板を配設すること、基板表面上にエリア放射ＬＥＤピクセルのアレイを形成することであって、基板エッジと、基板エッジに最も近い基板表面上のＬＥＤピクセルとの間にエッジギャップがある、形成すること、及びＬＥＤピクセルの外部にあるエッジギャップ内に光抽出構造を形成することによって構成することができる。光抽出構造は、機械的工程によって、化学的工程によって、又は基板表面、若しくは基板表面の反対側にある反対の基板表面、若しくは基板エッジにフィルムを被着することによって、構成することができる。代替的には、光抽出構造は、基板表面の任意の部分若しくは全体の上に、基板表面の反対側にある反対の基板表面上に、又は基板、若しくはエリア放射発光ダイオードを保護及び封入するために設けられるカバーの基板エッジ上に形成することができる。光抽出構造は、基板表面又は基板エッジをエッチング又は研磨することによって、たとえば、フッ化水素酸を塗布すること、レーザーを用いて急速な温度サイクルにかけること、又はサンドブラストによって形成することができる。光抽出構造の少なくとも一部は、基板エッジの少なくとも一部をエッチングし、基板エッジのその部分にわたって反射フィルムを堆積することによって、たとえば、エッチングされた基板エッジにわたって金属を蒸着することによって形成することができる。エッジを研削して、角度を成す構造を形成することもできる。
【００４５】
本発明のＬＥＤは、必要に応じて特性を高めるために、種々の既知の光学的効果を利用することができる。これは、層厚を最適化して光の透過性を高めること、誘電体ミラー構造を設けること、反射性電極の代わりに光吸収電極を用いること、ディスプレイ上に防眩若しくは反射防止コーティングを設けること、ディスプレイ上に偏光媒体を設けること、又はディスプレイ上にカラーフィルター、減光フィルター、若しくは色温度変換フィルターを設けることを含む。フィルター、偏光子、及び防眩又は反射防止コーティングは、具体的には、カバー上に、又はカバーの一部として設けることができる。
【００４６】
本発明は、アクティブマトリックス、又はパッシブマトリックスいずれかのＯＬＥＤデバイスで実施することができる。また、本発明は、ディスプレイデバイスにおいて、又はエリア照明デバイスにおいて用いることもできる。好ましい実施形態では、本発明は、限定はしないが、１９８８年９月６日にTang他に対して発行された米国特許第４，７６９，２９２号、及び１９９１年１０月２９日にVan Slyke他に対して発行された米国特許第５，０６１，５６９号において開示されるような、小分子又はポリマーＯＬＥＤから構成されるフラットパネルＯＬＥＤデバイスにおいて用いられる。有機発光ディスプレイの数多くの組み合わせ及び変形を用いて、トップエミッター、ボトムエミッターいずれかのアーキテクチャを有するアクティブマトリックス及びパッシブマトリックス両方のＯＬＥＤディスプレイを含む、そのようなデバイスを作ることができる。代替的には、無機材料、たとえば、多結晶半導体マトリックス内の燐光粒子を用いることができる。他の有機物又は無機物層を用いて、有機物、無機物いずれかの発光層のための電荷注入、輸送又は阻止を制御することができる。
【符号の説明】
【００４７】
８  ディスプレイのタイル張りされたアレイ
１０、１０Ａ、１０Ｂ  タイル
１２  エリア
１４  ピクセル
１４Ａ  エッジピクセル
１５  放射される光
１６  カラーフィルター
１８  ブラックマトリックス
２０  エッジギャップ
２０Ａ  エッジギャップの目に見える部分
２２  ピクセル間ギャップ
２４  エッジ継ぎ目
３０  基板
３２  カバー
３４  内部基板表面
３５  外部基板表面
３６  エッジ
３７  エッジ表面
３８  反射性フィルム
３９、３９Ａ、３９Ｂ  角度を成す表面
４０  ＯＬＥＤ
４２  透明な電極
４４  有機材料層（複数可）
４６  反射電極
４７  反射層
４８  反射層
５０、５２、５４  光線
５６、５８、５９  光線
６０  光抽出構造
７０  円偏光子
８０  コントローラー
１０２  ガラス基板
１０４  ドライブ層
１０６  アノード
１０８  ＥＬ層
１１０  カソード
１１２  カバーガラス
１１４  屈折率整合流体
１１６  拡散フィルム
１１８  領域
１２０  エリア
１２２  領域
【図１】
0005242803.tif 000002
【図２】
0005242803.tif 000003
【図３】
0005242803.tif 000004
【図４】
0005242803.tif 000005
【図５】
0005242803.tif 000006
【図６】
0005242803.tif 000007
【図７】
0005242803.tif 000008
【図８】
0005242803.tif 000009
【図９】
0005242803.tif 000010
【図１０】
0005242803.tif 000011
【図１１】
0005242803.tif 000012
【図１２】
0005242803.tif 000013
【図１３】
0005242803.tif 000014
【図１４】
0005242803.tif 000015
【図１５】
0005242803.tif 000016
【図１６】
0005242803.tif 000017
【図１７】
0005242803.tif 000018
【図１８】
0005242803.tif 000019
【図１９】
0005242803.tif 000020
【図２０】
0005242803.tif 000021
【図２１】
0005242803.tif 000022
【図２２】
0005242803.tif 000023
【図２３】
0005242803.tif 000024
【図２４】
0005242803.tif 000025